【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
記録媒体に記録を行う記録ヘッドと、前記記録媒体に記録されたパターンを光学的に読み取り可能なセンサーとを有する記録装置であって、
前記記録媒体に対して所定のパターンを前記記録ヘッドにより記録させるパターン記録手段と、
前記記録媒体に記録された所定のパターンを前記センサーに読み取らせる読取手段とを有し、
前記所定のパターンの内、前記センサーの読み取り対象となる部分の外形の少なくとも一方向の幅は、その方向における前記センサーの読み取り範囲の幅以下であることを特徴とする記録装置。
【請求項２】
記録媒体に記録を行う記録ヘッドと、前記記録媒体に記録されたパターンを光学的に読み取り可能なセンサーとを有する記録装置であって、
前記センサーの光学倍率の算出に用いられる所定のパターンを、前記記録ヘッドにより前記記録媒体に記録させるパターン記録手段と、
前記記録媒体に記録された所定のパターンを前記センサーに読み取らせる読取手段と、
前記読取手段による読み取り結果に基づいて、前記センサーの光学倍率を算出する算出手段と、
前記記録ヘッドの複数の記録素子の濃度特性を補正するために用いられる第２の所定のパターンを、前記記録ヘッドにより前記記録媒体に記録させる第２パターン記録手段と、
前記記録媒体に記録された第２の所定のパターンを前記センサーに読み取らせる第２読取手段と、
前記第２読取手段による読み取り結果と前記算出手段により算出された光学倍率とに基づいて、前記第２の所定のパターンの記録に使用された複数の記録素子について濃度補正を行う補正手段とを有し、
前記所定のパターンは前記記録ヘッドにより吐出されるインクのドットの集合体を含み、
前記センサーの読み取り対象となる前記インクのドットの集合体の外形の少なくとも一方向の幅は、その方向における前記センサーの読み取り範囲の幅以下であることを特徴とする記録装置。
【請求項３】
記録媒体に記録を行う記録ヘッドと、前記記録媒体に記録されたパターンを光学的に読み取り可能なセンサーとを有する記録装置であって、
前記記録媒体に対して所定のパターンを前記記録ヘッドにより記録させるパターン記録手段と、
前記記録媒体に記録された所定のパターンを前記センサーに読み取らせる読取手段とを有し、
前記所定のパターンは周囲よりも濃度が高い部分を含み、
前記センサーの読み取り対象となる前記周囲よりも濃度が高い部分の外形の少なくとも一方向の幅は、その方向における前記センサーの読み取り範囲の幅以下であることを特徴とする記録装置。
【請求項４】
記録媒体に記録を行う記録ヘッドと、前記記録媒体に記録されたパターンを光学的に読み取り可能なセンサーとを有する記録装置であって、
前記記録媒体に対して所定のパターンを前記記録ヘッドにより記録させるパターン記録手段と、
前記記録媒体に記録された所定のパターンを前記センサーに読み取らせる読取手段とを有し、
前記所定のパターンは周囲よりも濃度が低い部分を含み、
前記センサーの読み取り対象となる前記周囲よりも濃度が低い部分の外形の少なくとも一方向の幅は、その方向における前記センサーの読み取り範囲の幅以下であることを特徴とする記録装置。
【請求項５】
前記読取手段は、前記センサーを静止させたままの状態で前記所定のパターンを前記センサーに読み取らせることを特徴とする請求項１乃至４のいずれか１項に記載の記録装置。
【請求項６】
前記所定のパターンの内、前記記録ヘッドの複数の記録素子が配列する配列方向における、前記センサーの読み取り対象となる部分の長さは、前記配列方向における前記センサーの読み取り範囲の幅以下であることを特徴とする請求項１乃至５のいずれか１項に記載の記録装置。
【請求項７】
前記記録ヘッドによる記録に際して、当該記録ヘッドの複数の記録素子が配列する方向と略直交する方向へ前記記録ヘッドを走査させる走査手段を更に有し、
前記所定のパターンの内、前記記録ヘッドの走査方向における、前記センサーの読み取り対象となる部分の長さは、前記走査方向における前記センサーの読み取り範囲の幅以下であることを特徴とする請求項１乃至６のいずれか１項に記載の記録装置。
【請求項８】
前記所定のパターンにおける前記周囲よりも濃度が高い部分は、前記記録ヘッドにより吐出されるインクのドットが記録される部分であることを特徴とする請求項３に記載の記録装置。
【請求項９】
前記所定のパターンは、前記周囲よりも濃度が高い部分の内側に、前記周囲よりも濃度が高い部分よりも濃度が低い部分を有することを特徴とする請求項３に記載の記録装置。
【請求項１０】
前記周囲よりも濃度が高い部分は、前記記録ヘッドにより吐出されるインクのドットが記録される部分であり、
前記周囲よりも濃度が低い部分は、前記インクのドットが記録されない部分であることを特徴とする請求項９に記載の記録装置。
【請求項１１】
前記濃度が低い部分の周囲には、前記記録ヘッドにより吐出されるインクのドットが記録され、
前記周囲よりも濃度が低い部分には、前記インクのドットが記録されないことを特徴とする請求項４に記載の記録装置。
【請求項１２】
さらに、前記読取手段による読み取り結果に基づいて、前記センサーの光学倍率を算出する算出手段を有することを特徴とする請求項１乃至１１のいずれか１項に記載の記録装置。
【請求項１３】
記録媒体に記録を行う記録ヘッドと、
前記記録媒体に記録されたパターンを光学的に読み取るためのセンサーと、
前記記録媒体に対して所定のパターンを前記記録ヘッドにより記録させるパターン記録手段と、
前記記録媒体に記録された前記所定のパターンを前記センサーに読み取らせる読取手段とを有し、
前記所定のパターンのうち、前記読取手段によって読み取られる部分は、前記センサーの視野の範囲内に含まれることを特徴とする記録装置。
【請求項１４】
さらに、前記部分の読み取り結果と前記部分の設計値とを比較することにより前記センサーの光学倍率を算出する算出手段を有することを特徴とする請求項１３に記載の記録装置。
【手続補正２】
【補正対象書類名】明細書
【補正対象項目名】００１１
【補正方法】変更
【補正の内容】
【００１１】
本発明による記録装置は、記録媒体に記録を行う記録ヘッドと、前記記録媒体に記録されたパターンを光学的に読み取り可能なセンサーとを有する記録装置であって、前記記録媒体に対して所定のパターンを前記記録ヘッドにより記録させるパターン記録手段と、前記記録媒体に記録された所定のパターンを前記センサーに読み取らせる読取手段と、前記読取手段による読み取り結果に基づいて、前記センサーの光学倍率を算出する算出手段とを有し、前記所定のパターンの内、前記センサーの読み取り対象となる部分の外形の少なくとも一方向の幅は、その方向における前記センサーの読み取り範囲の幅以下であることを特徴とする。
【手続補正３】
【補正対象書類名】明細書
【補正対象項目名】００１２
【補正方法】変更
【補正の内容】
【００１２】
また、本発明による記録装置は、記録媒体に記録を行う記録ヘッドと、前記記録媒体に記録されたパターンを光学的に読み取り可能なセンサーとを有する記録装置であって、前記記録媒体に対して所定のパターンを前記記録ヘッドにより記録させるパターン記録手段と、前記記録媒体に記録された所定のパターンを前記センサーに読み取らせる読取手段と、前記読取手段による読み取り結果に基づいて、前記センサーの光学倍率を算出する算出手段とを有し、前記所定のパターンは周囲よりも濃度が高い部分を含み、前記センサーの読み取り対象となる前記周囲よりも濃度が高い部分の外形の少なくとも一方向の幅は、その方向における前記センサーの読み取り範囲の幅以下であることを特徴とする。
【手続補正４】
【補正対象書類名】明細書
【補正対象項目名】００１３
【補正方法】変更
【補正の内容】
【００１３】
また、本発明による記録装置は、記録媒体に記録を行う記録ヘッドと、前記記録媒体に記録されたパターンを光学的に読み取り可能なセンサーとを有する記録装置であって、前記センサーの光学倍率の算出に用いられる所定のパターンを、前記記録ヘッドにより前記記録媒体に記録させるパターン記録手段と、前記記録媒体に記録された所定のパターンを前記センサーに読み取らせる読取手段と、前記読取手段による読み取り結果に基づいて、前記センサーの光学倍率を算出する算出手段と、前記記録ヘッドの複数の記録素子の濃度特性を補正するために用いられる第２の所定のパターンを、前記記録ヘッドにより前記記録媒体に記録させる第２パターン記録手段と、前記記録媒体に記録された第２の所定のパターンを前記センサーに読み取らせる第２読取手段と、前記第２読取手段による読み取り結果と前記算出手段により算出された光学倍率とに基づいて、前記第２の所定のパターンの記録に使用された複数の記録素子について濃度補正を行う補正手段とを有し、前記所定のパターンは前記記録ヘッドにより吐出されるインクのドットの集合体を含み、前記センサーの読み取り対象となる前記インクのドットの集合体の外形の少なくとも一方向の幅は、その方向における前記センサーの読み取り範囲の幅以下であることを特徴とする。
【手続補正５】
【補正対象書類名】明細書
【補正対象項目名】００１４
【補正方法】変更
【補正の内容】
【００１４】
さらに、本発明による記録装置は、記録媒体に記録を行う記録ヘッドと、前記記録媒体に記録されたパターンを光学的に読み取るためのセンサーと、前記記録媒体に対して所定のパターンを前記記録ヘッドにより記録させるパターン記録手段と、前記記録媒体に記録された前記所定のパターンを前記センサーに読み取らせる読取手段とを有し、前記所定のパターンのうち、前記読取手段によって読み取られる部分は、前記センサーの視野の範囲内に含まれることを特徴とする記録装置。